【手続補正書】
【提出日】平成20年9月26日(2008.9.26)
【手続補正１】
【補正対象書類名】特許請求の範囲
【補正対象項目名】全文
【補正方法】変更
【補正の内容】
【特許請求の範囲】
【請求項１】
登録された参加中の加入者端末と公開者端末とこれらの端末を通信可能に接続するネットワークとを備えるコンピュータ・ネットワークを用いてデータの協調交換の制御されたレベルを提供する方法であって、
一連の異なるプライバシー・レベルを定義するステップであって、各プライバシー・レベルが、各参加中の公開者端末からコンテンツ固有のデータを受信する参加中の加入者端末の能力を電子的に制御する関連データ共用パラメータを有するステップと、
前記一連の異なるプライバシー・レベルから参加中の公開者端末ごとに選択されたとして承認されたプライバシー・レベルがどれであるかを参加中の加入者端末ごとに識別し、これによって、加入者端末と公開者端末との間の制御された電子データ共用プロトコルに基づいて資格を提供する電子プライバシー・レベル・レジスタを提供するステップと
を含む方法。
【請求項２】
各公開者端末は、公開者端末が加入者端末に公開することができるデータを制御する前記一連の異なるプライバシー・レベルから選択された少なくとも１つの定義されたプライバシー・レベルを有する、請求項１に記載の方法。
【請求項３】
前記コンピュータ・ネットワークは、加入者端末と公開者端末との間で仲介するゲートキーパとして作用する管理サーバを更に備え、
前記管理サーバで実行されるウェブ・アプリケーションは、前記電子プライバシー・レベル・レジスタを有し、前記データの協調交換を実行する、請求項１に記載の方法。
【請求項４】
前記コンピュータ・ネットワークは、承認されたプライバシー・レベルを有する加入者端末だけに電子医療ケア・データを選択的に転送するメッセージ・フロー・サーバと、
それぞれの公開者端末から、前記メッセージ・フロー・サーバに電子医療ケア・データを電子的に提供する公開者端末・ゲートウェイとを更に備え、
前記各公開者端末は、電子患者データ・レコードのリポジトリを保持する、請求項１に記載の方法。
【請求項５】
前記データの協調交換は患者医療ケア・データを対象とし、前記公開者端末は医療ケア・プロバイダを備え、前記プライバシー・レベルは、どの公開者端末が医療ケア・データをそれぞれの加入者端末に送信でき、どのコンテンツをそれぞれの加入者端末が公開者端末から電子的にリクエストできるかを示す、請求項１に記載の方法。
【請求項６】
医療ケア・トピックの電子トピック・カタログを提供するステップを更に含み、各トピックは、それぞれのプライバシー資格レベルのトピックに関するデータだけを加入者端末がリクエストでき、それらのプライバシー資格レベルのトピックに関するデータだけを公開者端末が公開できるように前記一連の異なるプライバシー・レベルの１つに対応する割り当てられたプライバシー・レベルを有する、請求項１に記載の方法。
【請求項７】
前記リクエスト中の加入者端末が、１つ以上の公開者端末からの医療ケア・データへアクセスする資格を前記加入者端末に与えるプライバシー・レベルを有する場合、前記管理サーバから１つ以上の公開者端末へ加入者端末によって開始される選択された医療ケア・トピックに対する加入者端末・トピック・データ・リクエストを電子的に自動経路指定するステップを更に含み、請求項６に記載の方法。
【請求項８】
前記トピック・カタログが、すべての異なるプライバシー・レベルにあるすべての選択可能なトピックのグローバル・カタログである、請求項６に記載の方法。
【請求項９】
前記管理サーバは、前記電子トピック・カタログ内の医療ケア・トピックだけをそれぞれの加入者端末に、加入者端末のプライバシー・レベルと対応するそれぞれのウェブ・ポータルで表示するように構成される、請求項８に記載の方法。
【請求項１０】
前記ウェブ・アプリケーションは、加入者端末ごとに前記プライバシー・レジスタ内に定義された公開者端末固有のプライバシー・レベルに基づいて資格が与えられた加入者端末だけに公開者端末から送信された公開者端末医療ケア・データを選択的に転送するために前記メッセージ・フロー・サーバと通信する、請求項３に記載の方法。
【請求項１１】
前記プライバシー・レベル・レジスタは、医療ケア・データ・トピックごとに、加入者端末ごとに、かつ、公開者端末ごとに定義されたプライバシー・レベルを相互に関連付ける互換性相関行列を備える、請求項１０に記載の方法。
【請求項１２】
それぞれの公開者端末に対して許可されたプライバシー・レベルを有する加入者端末からの選択された医療ケア公開トピックに対するリクエストだけを表示するウェブ・ポータル表示を公開者端末ごとに選択的に生成するステップを更に含む、請求項９に記載の方法。
【請求項１３】
前記複数の異なるプライバシー・レベルは、患者匿名化データだけを公開者端末と加入者端末との間で共用させることができる第１プライバシー・レベルと、限定された患者データを公開者端末と加入者端末との間で共用させることができる第２プライバシー・レベルとを備える、請求項１に記載の方法。
【請求項１４】
公開者端末と加入者端末との間のデータ・コンテンツに関して非制限的である第３プライバシー・レベルを更に備える、請求項１３に記載の方法。
【請求項１５】
興味を持つトピックを電子トピック・カタログから加入者端末に電子的に選択させ、前記トピックに関連するデータの公開に対するリクエストを電子的に自動的に起動させ、前記リクエストは次にコンピュータ・ネットワークを介して、準拠したプライバシー・レベルを有する参加中の公開者端末に送信されるステップとを更に含む、請求項６に記載の方法。
【請求項１６】
所望のデータ制約を有する新たなトピック・データ・リクエストを加入者端末に電子的に開始させ、前記新たなトピック・データ・リクエストが、前記加入者端末・プライバシー・レベルを準拠するプライバシー・レベルを有する場合には前記トピック・カタログ内に自動的に電子的に格納されるステップを更に含む、請求項１５に記載の方法。
【請求項１７】
加入者端末及び公開者端末・パーティシパントを備えるウェブ・ベースの医療ケア協調データ共用システムであって、前記公開者端末が、加入者端末とデータ共用プロトコルを確立する、異なる医療ケア・データ・コンテンツに対して少なくとも１つの定義されたプライバシー・レベルを有し、前記加入者端末が、公開者端末とデータ共用プロトコルを確立する少なくとも１つの定義されたプライバシー・レベルを有し、加入者端末及び公開者端末に対して前記少なくとも１つの定義されたプライバシー・レベルは、加入者端末及び公開者端末に対する前記ウェブ・ベースのシステムによって用いられる一連の共通の定義されたプライバシー・レベルから選択されるシステム。
【請求項１８】
各公開者端末は、電子患者データを受信し、前記患者データをオープン・スタンダード・メッセージに自動的に電子的に形式再設定し、所望の間隔で前記患者データ・メッセージをそれぞれの公開者端末・メッセージ・データベースに自動的に電子的に格納するように構成された少なくとも１つの公開者端末・ゲートウェイを備える、請求項１７に記載のシステム。
【請求項１９】
前記複数の異なるプライバシー・レベルは、インターネットを用いて患者匿名化データだけを公開者端末と加入者端末との間で共用させることができる第１プライバシー・レベルと、限定された患者データを、前記インターネットを用いて公開者端末と加入者端末との間で共用させることができる第２プライバシー・レベルとを備え、請求項１７に記載のシステム。
【請求項２０】
公開者端末と加入者端末との間のデータ・コンテンツに関して非制限的である第３プライバシー・レベルを更に備え、前記第３プライバシー・レベルは、通常、医療ケア・プロバイダにわたって監視権限を有する政府機関と関連し、前記プライバシー・レベルは、前記インターネットを介する公開者端末と加入者端末との間の通信用のＨＩＰＡＡプライバシー準拠データ共用プロトコルを提供するように構成されている、請求項１７に記載のシステム。
【請求項２１】
インターネットを介する公開者端末と加入者端末との間の協調医療ケア・データ共用を提供し制御するウェブ・ベースの安全なデータ共用システムであって、前記システムは、
前記インターネットを介してパーティシパント医療ケア・公開者端末・ゲートウェイ及び加入者端末と通信するように構成されたメッセージ・フロー・サーバと、
前記メッセージ・フロー・サーバと通信する管理サーバであって、前記管理サーバが参加中の加入者端末と公開者端末との間の電子通信を制御するように構成され、各参加中の加入者端末及び公開者端末が、定義された一連のプライバシー・レベルから選択された少なくとも１つの定義されたプライバシー・レベルを有し、特定タイプの患者医療ケア・データに対してプライバシー・レベルを定義する電子プライバシー・レベル・レジスタと通信する管理サーバと
を備え、加入者端末と公開者端末との間の前記通信を（１つ以上の）それぞれの定義されたプライバシー・レベルに基づいて電子的に制御するように構成されているシステム。
【請求項２２】
前記管理サーバ及び／または前記メッセージ・フロー・サーバが、異なる医療ケア・データ・トピックの加入者端末選択可能電子トピック・カタログ・データベースと通信し、前記異なる医療ケア・トピックの各々が関連のプライバシー・レベルを有する、請求項２１に記載のシステム。
【請求項２３】
加入者端末がアクセスする資格を与えられていることをトピックのプライバシー・レベルが示す前記トピック・カタログ内のトピックだけをそれぞれの加入者端末が表示できるように構成されている、請求項２２に記載のシステム。
【請求項２４】
前記管理サーバは、公開者端末から、サブスクリプションに基づいて資格が与えられた加入者端末だけへ受信されたそれぞれのトピックに関する医療ケア公開データを選択的に自動的に電子的に転送するためにそれぞれの公開者端末及び加入者端末及び前記メッセージ・フロー・サーバと通信し、前記サブスクリプションは、公開者端末ごとに前記医療ケア・データの前記トピック及び前記加入者端末・プライバシー・レベルと関連する前記プライバシー・レベルに基づいて加入者端末及びトピックに固有である、請求項２１に記載のシステム。
【請求項２５】
前記管理サーバは、前記トピック及び／またはリクエスト中の加入者端末が、一致しないプライバシー・レベルを有する場合に、公開者端末患者医療ケア・データへの許可されていない加入者端末のアクセスを自動的に電子的に防止するように構成された互換性相関行列と通信する、請求項２１に記載のシステム。
【請求項２６】
メッセージ・フロー・サーバと、
電子患者医療ケア・レコードへアクセスする複数の公開者端末であって、各公開者端末が、前記メッセージ・フロー・サーバと通信する少なくとも１つの公開者端末・ゲートウェイを備え、それぞれの公開者端末・ゲートウェイが、それぞれの加入者端末との前記公開者端末・ゲートウェイのデータ共用プロトコルを電子的に制御する少なくとも１つの定義されたプライバシー・レベルを有するように構成されている公開者端末と、
前記メッセージ・フロー・サーバと通信する複数の加入者端末・パーティシパントであって、各加入者端末が、参加中の公開者端末からの医療ケア・データへのアクセスを電子的に制御する定義されたプライバシー・レベルを有する加入者端末と
を備える医療ケア協調データ共用コンピュータ・ネットワーク・システムであって、
医療ケア・トピックに関連する医療ケア・データは、前記加入者端末が、前記トピックの医療ケア・データに対して前記加入者端末に資格を与えるプライバシー・レベルを有する場合だけ、前記メッセージ・フロー・サーバを介してそれぞれの公開者端末・ゲートウェイから加入者端末に自動的に選択的に電子的に転送されるシステム。
【請求項２７】
各公開者端末から加入者端末ごとに異なるタイプの医療ケア・データに対して資格のレベルを定義する電子ユーザ・プライバシー・レジスタと通信する管理サーバを更に備え、動作中、医療ケア・トピックに関連する医療ケア・データに対する電子リクエストは、加入者端末が、前記トピックの医療ケア・データに対して前記加入者端末に資格を与えるプライバシー・レベルを有する場合だけ、前記メッセージ・フロー・サーバを介してそれぞれの公開者端末に自動的に電子的に選択的に転送される、請求項２６に記載のシステム。
【請求項２８】
前記管理サーバは、リクエスト中の加入者端末から医療ケア・データの公開に対するリクエストを、前記リクエスト中の加入者端末へ公開を不許可としていない公開者端末だけに電子的に送信するように構成されている、請求項２７に記載のシステム。
【請求項２９】
前記ユーザ・プライバシー・レジスタは、定義された一連のプライバシー・レベルから、異なる医療ケア・トピック、加入者端末及び公開者端末ごとに前記プライバシー・レベルを相互に関連付ける電子互換性相関データベースを備え、前記システムは、プライバシー・レベルごとに、前記コンピュータ・ネットワークを用いるデータ共用ルールを更に備え、前記データ共用ルールは、公開者端末が医療ケア・プライバシー規則を準拠するように構成されている、請求項２７に記載のシステム。
【請求項３０】
前記加入者端末は、電子トピック・カタログを表示し、前記管理サーバと関連するウェブ・アプリケーションを用いて前記それぞれの加入者端末の前記プライバシー・レベルと関連して電子トピック・カタログから医療ケア・トピックを選択できるように構成されている、請求項２６に記載のシステム。
【請求項３１】
コンピュータ・ネットワークを用いる協調データ共用システムにおいてデータ共用を制御するコンピュータ・プログラムであって、コンピュータ・プログラムは、
公開者端末及び加入者端末ごとに少なくとも１つのプライバシー・レベルを定義するように構成されたコンピュータ可読プログラム・コードであって、前記少なくとも１つのプライバシー・レベルが、グローバルな一連の定義されたプライバシー・レベルから選択され、前記異なるプライバシー・レベルが、データ・レコードの異なるコンテンツと関連するコンピュータ可読プログラム・コードと、
データをリクエストしている加入者端末と、前記定義されたプライバシー・レベルに基づくデータを有する公開者端末とに対するデータ共用プロトコルを定義するように構成されたコンピュータ可読プログラム・コードと、
加入者端末及び公開者端末のパーティシパント登録と、それらの定義されたプライバシー・レベルとを提供するように構成されたコンピュータ可読プログラム・コードと
を備えるコンピュータ・プログラム。
【請求項３２】
選択可能な異なる医療ケア・トピックの加入者端末・アクセス可能電子トピック・カタログを提供するように構成されたコンピュータ可読プログラム・コードを更に備え、前記選択可能なトピックの各々が、前記それぞれの加入者端末のプライバシー・レベルと互換性があるプライバシー・レベルを有する、請求項３１に記載のコンピュータ・プログラム。
【請求項３３】
前記データ・レコードが患者医療ケア・レコードを備え、前記コンピュータ・プログラム製品は、異なる公開者端末からの医療ケア・データ・コンテンツに対して加入者端末資格レベルを定義する互換性相関行列を生成するように構成されたコンピュータ可読プログラム・コードを更に備える、請求項３２に記載のコンピュータ・プログラム。